(57)【特許請求の範囲】
【請求項１】
伝送線に放送信号を送出する放送設備、及び、前記伝送線に設けられた放送信号伝送用の電子機器に対する動作モード設定用の指令信号を生成して前記伝送線に送出する送信装置、を備えたセンタ装置と、
前記伝送線に設けられた電子機器に対して電力供給を行うための電力信号を前記伝送線に重畳する電源装置と、
前記センタ装置から伝送線に送出された指令信号を受信する受信回路、該受信回路にて受信された指令信号が当該機器に対する指令信号である場合に、該指令信号に応じて当該機器の動作モードを設定する制御回路、及び、前記伝送線から前記電力信号を取り込み、該電力信号を動作用の電圧に変換して、前記各内蔵回路に電源供給を行う電源回路、を備え、前記伝送線に分散配置されて、該伝送線を流れる放送信号に対して信号伝送用の処理を施す複数の電子機器と、
を備えた有線放送システムであって、
前記センタ装置側の前記送信装置は、
外部から動作モードを設定すべき電子機器が指定されると、該電子機器を特定する識別データと指令内容を表す指令データとからなる送信データを生成する送信データ生成手段と、
該送信データ生成手段にて生成された送信データに、送信回数を表す番号データを付与し、該番号データ付与後の送信データを、当該システムで生じる瞬時停電の発生時間よりも長い時間に設定された所定時間間隔で、複数回出力する送信データ出力手段と、
該送信データ出力手段から出力される送信データを伝送用の指令信号に変換して前記伝送線に送出する送信手段と、
を備え、前記電子機器側の前記制御回路は、
前記受信回路にて受信された指令信号が当該機器に対するものであるか否かを、該指令信号を構成する前記識別データに基づき判定する指令信号識別手段と、該指令信号識別手段にて前記指令信号が当該機器に対するものであると判定されると、該指令信号を構成する指令データが、前回受信した当該機器に対する指令信号と同じであるか否かを判定する指令内容判定手段と、
該指令内容判定手段にて、前記指令データが前回受信したものと同じであると判断されると、今回受信した指令信号に付与された番号データが前回受信した当該機器に対する指令信号に付与されたものよりも大きいか否かを判定する送信回数判定手段と、
該送信回数判定手段にて前記番号データが前回受信したものよりも大きいと判断された場合には、今回受信した指令信号に基づく動作モードの設定は実行せず、前記番号データが前回受信したものと同じかそれより小さい場合、及び、前記指令内容判定手段にて前記指令データが前回受信したものと異なると判断された場合に、今回受信した指令信号に従い動作モードを設定する動作モード設定手段と、
を備えたことを特徴とする有線放送システム。
【請求項２】
前記センタ装置側の送信装置において、
前記送信データ出力手段は、前記所定時間間隔毎の送信データの出力時には、前記送信データに同一の番号を付与した複数の送信データを連続して出力し、
前記電子機器側の制御回路は、
前記受信回路にて同一の送信データからなる指令信号が連続して受信された際には、その内の一つをセンタ装置が送信した指令信号として選択し、該選択した指令信号にて、前記指令信号識別手段，指令内容判定手段，送信回数判定手段，及び動作モード設定手段を動作させる、指令信号選択手段を備えたことを特徴とする請求項１記載の有線放送システム。
【請求項３】
前記電子機器は、
前記伝送線から放送信号の一部を分岐させ、該分岐後の放送信号を分岐出力端子から端末装置に出力させる分岐回路と、
該分岐回路から前記分岐出力端子に放送信号を導く信号経路に設けられ、該信号経路の導通・遮断状態を切り換えるラッチングリレーと、
該ラッチングリレーを通電して前記信号経路の導通・遮断状態を切り換える駆動回路と、
を備え、前記制御回路が、前記受信回路からの指令信号に応じて、前記駆動回路を制御することにより、前記ラッチングリレーによる前記信号経路の導通・遮断状態を設定し、前記電源回路が、前記受信回路，制御回路，及び駆動回路に対して電源供給を行う分岐装置であることを特徴とする請求項１又は請求項２記載の有線放送システム。
【請求項４】
前記分岐装置は、前記分岐回路による分岐後の放送信号を更に複数に分配し、該分配後の放送信号を、夫々、複数の分岐出力端子に出力する分配回路を備え、
前記ラッチングリレーは、該分配回路から複数の分岐出力端子に至る複数の信号経路に夫々設けられ、
前記制御回路は、前記指令信号に応じて前記各信号経路の導通・遮断状態を制御する際には、前記駆動回路を制御することにより、前記各ラッチングリレーを順に通電して、前記各信号経路の導通・遮断状態を順に設定することを特徴とする請求項３記載の有線放送システム。
【発明の詳細な説明】
【０００１】
【発明の属する技術分野】
本発明は、放送信号伝送用の伝送線に設けられた分岐装置や増幅装置等の電子機器の動作モードを、センタ装置側から伝送線に送出した指令信号により設定できるようにした有線放送システムに関する。
【０００２】
【従来の技術】
従来より、ＣＡＴＶシステム等、テレビ信号等の放送信号を、同軸ケーブル等からなる一本の伝送線を介して、加入者側の端末装置に伝送する有線放送システムにおいては、伝送線上に、放送信号増幅用の増幅装置や、伝送線から放送信号を分岐させて加入者宅に引き込むための分岐装置（所謂タップオフ）等、放送信号伝送用の各種電子機器が分散配置されている。
【０００３】
また、こうした有線放送システム用の電子機器には、その動作モードをセンタ装置側から伝送線に送出した指令信号によって自動で設定できるように、受信回路や動作モード設定用の制御回路を備えたものが知られている。
例えば、伝送線から放送信号の一部を分岐させる分岐回路と、その分岐後の放送信号を加入者の端末装置側に出力する分岐出力端子との間の信号経路に、高周波の放送信号を低損失で通過させることのできるリレー（所謂高周波リレーであり、通常、切換状態を保持可能なラッチングリレーが使用される）を設け、このリレーを、伝送線を介してセンタ装置側から送信されてきた指令信号に従い通電することにより、信号経路の導通・遮断状態（換言すれば端末装置へ放送信号を出力するか否か）を、センタ装置側から簡単に切り換えることができるようにした分岐装置がそれである。
【０００４】
そして、この種の電子機器を備えた有線放送システムでは、動作モードを設定可能な電子機器に対して、固有の識別データ（以下単にアドレスともいう）を付与しておき、センタ装置が、特定の電子機器の動作モードを設定する際には、対象となる電子機器のアドレスに、指令内容を表す指令データ（以下単にコマンドともいう）を付与した指令信号を生成し、これを伝送用の指令信号に変換して伝送線に送出するようにされている。
【０００５】
この結果、伝送線に設けられた分岐装置等の電子機器側では、受信回路にてセンタ装置が送出した指令信号を受信し、制御回路にて、受信した指令信号の中から、自己のアドレスと一致するアドレスが付与された指令信号を選択することにより、センタ装置から当該装置に対して送信された指令信号を抽出し、この指令信号に含まれるコマンドに基づき、動作モードを設定する。
【０００６】
従って、この種の有線放送システムでは、例えば、センタ装置から伝送線上の特定の分岐装置に対する指令信号を送出して、その特定の分岐装置の分岐出力端子から加入者側端末装置への放送信号を停止させる、というように、伝送線上の電子機器の動作モードをセンタ装置側で簡単に設定することができ、各電子機器の動作モード設定のために、作業員が電子機器の設置場所に赴く必要はない。
【０００７】
【発明が解決しようとする課題】
ところで、こうした従来の有線放送システムでは、センタ装置から伝送線上の電子機器に対して指令信号を送信したにも関わらず、伝送線周囲で発生したノイズ等によって、対象となる電子機器に正常な指令信号を伝送することができないことがある。
【０００８】
つまり、伝送線に周囲のノイズが重畳されることにより、指令信号を構成するデータの数ビット分が欠落したり、ビットデータが「１」から「０」或いはその逆へと反転してしまうことがあり、このような場合には、対象となる電子機器に正常な指令信号を伝送できず、その動作モードを所望状態に設定することができない。
【０００９】
一方、従来より、データ伝送を行う通信分野では、耐ノイズ性を高めるために、同一データを複数回連続送信することが知られている。このため、有線放送システムにおいても、こうした技術を適用して、センタ装置側からの指令信号を伝送線上の電子機器に伝送することが考えられ、実用化されつつある。つまり、対象となる電子機器に対して指令信号を確実に伝送するために、センタ装置側から、同一の指令信号を複数回連続して送信し、電子機器側では、この連続した指令信号のうち、正常に受信できた一つの指令信号に対応して、動作モードの設定動作を行うようにするのである。
【００１０】
しかしながら、このような対策では、伝送線に周囲のノイズが単発的に重畳される場合には効果があるものの、例えば、落雷等によって伝送線上の各種電子機器への電力供給が瞬間的に遮断される瞬時停電が生じたような場合には、瞬時停電が生じた電子機器やこの電子機器よりも下流側（端末側）の電子機器が、複数回連続送信した全ての指令信号を受信できなくなることがある。
【００１１】
つまり、瞬時停電は、長くても０．２sec.程度であり、放送信号の伝送には大きな影響を与えることはないが、この瞬時停電の発生時間は、伝送線に重畳される単発的なノイズに比べれば極めて長い時間となることから、上記従来のノイズ対策では、同一データの複数回連続送信期間と瞬時停電期間とが重なり、伝送線上の電子機器に対してデータを伝送することができなくなってしまうことがあるのである。
【００１２】
本発明は、こうした問題に鑑みなされたものであり、センタ装置から伝送線に指令信号を送出することによって、伝送線に設けられた分岐装置等の各種電子機器の動作モードをセンタ装置側から設定できるようにした有線放送システムにおいて、落雷等によってシステム内で電源の瞬時停電が発生した場合であっても、電子機器に対して指令信号を確実に伝送できるようにすることを目的とする。
【００１３】
【課題を解決するための手段】
かかる目的を達成するためになされた請求項１記載の有線放送システムにおいては、センタ装置が放送設備と送信装置とを備えており、センタ装置から伝送線には、放送設備から出力される放送信号に加えて、送信装置から出力される指令信号が送出される。指令信号は、伝送線に設けられた電子機器（例えば、前述の分岐装置や増幅装置等）の動作モードを設定するための信号であり、伝送線には、その指令信号を受信することにより自己の動作モードを自動で設定可能な電子機器が設けられると共に、この電子機器に電力供給を行うための電力信号を伝送線に重畳する電源装置が設けられる。
【００１４】
一方、伝送線に設けられた電子機器側では、受信回路が、伝送線を介してセンタ装置から伝送されてきた指令信号を受信し、制御回路が、その指令信号が自己に対する指令信号である場合に、その指令信号に応じて自己の動作モードを設定し、電源回路が、伝送線に重畳された電源回路からの電力信号を取り込み、これを動作用の電圧に変換して、受信回路，制御回路等の内蔵回路に電源供給を行う。
【００１５】
ところで、このような有線放送システムにおいて、センタ装置から指令信号を１回だけ送信していたのでは、指令信号を伝送線上の電子機器に確実に伝送するのは困難であり、また、従来のように、指令信号を複数回連続して送信するようにしても、その送信期間と電源の瞬時停電とが重なった場合には、指令信号を電子機器に伝送することができない。
【００１６】
そこで、本発明（請求項１）では、センタ装置側送信装置において、外部から動作モードを設定すべき電子機器が指定されると、送信データ生成手段が、その電子機器を特定する識別データと指令内容を表す指令データとからなる送信データを生成し、送信データ出力手段が、送信データ生成手段にて生成された送信データに、送信回数を表す番号データを付与し、番号データ付与後の送信データを、当該システムで生じる瞬時停電の発生時間よりも長い時間に設定された所定時間間隔で複数回出力し、送信手段が、この送信データ出力手段から出力される送信データを、伝送用の指令信号に変換して、伝送線に送出するようにしている。
【００１７】
つまり、本発明（請求項１）では、センタ装置が伝送線上の電子機器に対して指令信号を送信する際、その指令信号を、従来のように単に複数回連続して送信するのではなく、システムで生じる瞬時停電の発生時間よりも長い時間間隔を空けて複数回送信するのである。
【００１８】
このため、例えば、センタ装置側から最初に送信した指令信号が、落雷等によって生じた瞬時停電の影響を受けて、送信対象となる電子機器に対して正常に伝送できなかったとしても、その後センタ装置から所定時間間隔を空けて送出される指令信号が電子機器に届くことになり、従来の有線放送システムに比べて、センタ装置からの指令信号にて伝送線上の電子機器の動作モードを設定し得る確率を高め、システムの信頼性を向上することができる。
【００１９】
尚、この確率を高めてシステムの信頼性をより向上するには、センタ装置が所定時間間隔で送信する指令信号の送信回数を多くすればよい。また、有線放送システムで生じる瞬時停電は、長くても０．２sec.程度であることから、指令信号の送信間隔としては、０．２sec.〜０．５sec.程度に設定すればよい。
【００２０】
また、センタ装置側送信装置において、送信データ出力手段は、送信データを送信手段に出力する際、送信データ生成手段にて生成された送信データに、送信回数を表す番号データを付与するが、これは、指令信号を受けた電子機器側で、その番号データから受信した指令信号の送信回数を確認することで、電子機器が、センタ装置側での１回の送信指令によって送信されてくる同一の指令信号によって動作モードの設定を複数回行ってしまうのを防止し、しかも、指令信号の内容が同じであっても、センタ装置側から異なる送信指令によって送信されてきた指令信号に対しては、その指令信号に対応した動作モードの設定を行えるようにするためである。
【００２１】
即ち、送信データ出力手段は、送信データ生成手段にて生成された送信データを、所定時間間隔で複数回送信手段に出力するものであることから、送信データ生成手段にて特定の電子機器に対する送信データが生成されて、その送信データを１回出力してから、送信データ生成手段にて新たな送信データが生成されると、その送信データを送信手段に出力することになり、送信手段から伝送線上に出力される指令信号は、同一のものが連続するとは限らない。
【００２２】
このため、従来のように、電子機器側で、単に同一の指令信号が連続しているかどうかを判断して、指令信号が連続している場合には、その内の一つの指令信号に基づき動作モードの設定を行うようにすると、同一の指令信号の間に他の指令信号が入った際には、全て異なる指令信号として動作モードの設定を行ってしまい、動作モードの設定が不必要に行われることになる。
【００２３】
一方、こうした問題を解決するために、伝送線に設けられる電子機器側で、センタ装置から伝送されてきた指令信号の指令内容が、前回動作モードの設定に使用した指令信号の指令内容と一致しているか否かを判断し、一致している場合には、その指令信号に基づく動作モードの設定を禁止することも考えられる。
【００２４】
しかし、センタ装置から送出される指令信号は、外部からの指令に従い伝送線に送出されるものであり、電子機器に対して同一の設定動作を複数回強制的に実行させるために、同一機器に対して同一指令内容の指令信号が複数回連続して送信されることもある。
【００２５】
そして、この場合には、同一内容の指令信号が所定時間間隔で送信されるのと同時に、その指令信号の送信の間に、更に同一内容の指令信号が加わることになる。このため、単に指令信号の内容が同じであるか否かを判断することで、不必要な設定動作の実行を禁止するようにしては、センタ装置側の要求に従い、同一の動作モード設定動作を複数回実行することができなくなってしまう。
【００２６】
尚、同一の動作モードの設定動作を複数回実行させる要求としては、例えば、システム加入者からの放送信号を受信できないといった苦情を受けたような場合に、電子機器に対して動作モードの設定動作を複数回実行させる指令を出して、電子機器の復旧を試みるとか、電子機器側の指令信号受信系の動作確認を行うといったことが挙げられる。
【００２７】
そこで、本発明（請求項１）では、センタ装置側から指令信号を送信するに当たって、単に時間間隔を空けて複数回指令信号を送信するだけでなく、その送信回数を表す番号データを同時に送信することで、指令信号を受けた電子機器側で、その番号データに基づき、センタ装置から受けた指令信号が、動作モードの設定に用いた指令信号を再送信したものであるか否かを判断できるようにしているのである。
【００２８】
そして、このために、本発明（請求項１）の電子機器側制御回路では、指令信号識別手段が、受信回路にて受信された指令信号が当該機器に対するものであるか否かを、指令信号を構成する識別データに基づき判定し、この指令信号識別手段にて、指令信号が当該機器に対するものであると判定されると、指令内容判定手段が、その指令信号を構成する指令データが前回受信した当該機器に対する指令信号と同じであるか否かを判定し、この指令内容判定手段にて、指令データが前回受信したものと同じであると判断されると、送信回数判定手段が、今回受信した指令信号に付与された番号データが前回受信した当該機器に対する指令信号に付与されたものよりも大きいか否かを判定する。
【００２９】
そして、電子機器の動作モードを実際に設定する動作モード設定手段は、送信回数判定手段にて、番号データが前回受信したものよりも大きいと判断された場合には、今回受信した指令信号に基づく動作モードの設定は実行せず、送信回数判定手段にて、番号データが前回受信したものと同じかそれより小さいと判断された場合、或いは、指令内容判定手段にて、指令データが前回受信したものと異なると判断された場合に、今回受信した指令信号に従い、当該機器の動作モードを設定する。
【００３０】
従って、本発明（請求項１）によれば、センタ装置から伝送線上の電子機器に対して、システム周囲で発生したノイズの影響を受けることなく指令信号を確実に伝送できるだけでなく、その指令信号を受けて動作モードを設定する電子機器側では、センタ装置が外部からの指令に従い送信してきた指令信号の一つを用いて、動作モードの設定を行い、重複する指令信号に基づく不必要な設定動作を確実に防止することができるようになる。
【００３１】
またこのように電子機器側での動作モードの設定動作を必要最小限に抑えることができることから、電子機器が、動作モードの設定によって消費電力が大きくなる装置（例えば、リレーへの通電により出力端子からの放送信号の出力・停止を切り換える前述した分岐装置）である場合には、指令信号に伴う不要な動作モードの設定動作によって生じる電力消費量を低減することが可能になり、延いては、伝送線に設けられる電源装置の負担を軽減することができるようになる。
【００３２】
よって本発明（請求項１）によれば、伝送線に設けられる電子機器の消費電力を低減して、電源装置の容量を小さくする、といった副次的効果も得られる。
ここで、本発明（請求項１）では、伝送線上の電子機器に対して指令信号を確実に伝送できるようにするために、センタ装置を、外部からの指令に基づく指令信号の送信を所定時間間隔で複数回行うように構成しているが、センタ装置が所定時間間隔で行う指令信号の送信１回当たりの送信データ数については、一つであっても複数であってもよい。
【００３３】
そして、この送信１回当たりの送信データの数を複数にすれば、伝送線上の電子機器に対して、複数の送信データの内の一つをシステム周囲で単発的に発生したノイズによって正常に伝送できなかったとしても、連続する他の送信データにて電子機器の動作モードを設定できることになり、電子機器に対して正常な送信データを伝送し得る確率を高めて、電子機器の動作モードをより速やかに設定することができる。
【００３４】
請求項２に記載の有線放送システムは、このようにセンタ装置側で、所定時間間隔での送信１回当たりに伝送線に送出する送信データ数を複数にして、伝送線上の電子機器に指令信号（データ）をより速くより確実に伝送できるようにしたものである。
【００３５】
即ち、請求項２記載の有線放送システムにおいて、センタ装置側の送信装置では、送信データ出力手段が、所定時間間隔毎に送信データを出力する際、送信データに同一の番号を付与した複数の送信データを連続して出力する。そして、電子機器側の制御回路では、受信回路にて同一の送信データからなる指令信号が連続して受信されると、その内の一つをセンタ装置が送信した指令信号として選択し、その選択した指令信号にて、動作モード設定用の各手段、即ち、指令信号識別手段，指令内容判定手段，送信回数判定手段，及び動作モード設定手段を動作させる。
【００３６】
従って、請求項２記載の有線放送システムにおいては、センタ装置から伝送線には、所定時間間隔毎の送信１回当たりに、送信データ生成手段にて生成された同一の送信データからなる指令信号が複数個連続して送出され、しかも、その連続する指令信号の固まりが、所定時間間隔で複数回送出されることになり、電子機器側では、連続する同一の指令信号の一つを、センタ装置からの指令信号として取り込むことになる。
【００３７】
よって、本発明（請求項２）によれば、センタ装置からの指令信号の送信時に、システム周囲でノイズが単発的に発生し、指令信号がそのノイズの影響を受けたとしても、伝送線上の電子機器は、センタ装置がこの指令信号に続いて連続的に送信した同一の指令信号によって動作モードの設定を行うことになり、電子機器に対して正常な送信データを伝送し得る確率を高めて、電子機器の動作モードをより速やかに設定することが可能になる。
【００３８】
次に、請求項３に記載の有線放送システムは、請求項１又は請求項２に記載の有線放送システムにおいて、センタ装置からの指令信号を受けて動作モードを設定する電子機器として、前述の分岐装置を備えたものである。
即ち、分岐装置は、伝送線から放送信号の一部を分岐させ、その分岐後の放送信号を分岐出力端子から端末装置に出力させる分岐回路を備えており、この分岐回路から分岐出力端子に放送信号を導く信号経路には、この経路の導通・遮断状態を切り換えるラッチングリレーが設けられている。そして、制御回路が、受信回路からの指令信号に応じて、駆動回路を制御することにより、ラッチングリレーによる信号経路の導通・遮断状態を設定し、駆動回路が、制御回路による制御の下に、ラッチングリレーを通電することにより、上記信号経路の導通・遮断状態を切り換え、電源回路が、伝送線を介して電源装置からの電力信号を受けて、受信回路，制御回路，及び駆動回路に対して電源供給を行う。
【００３９】
このため本発明（請求項３）の有線放送システムによれば、伝送線に分散配置された各分岐装置が、センタ装置が一回の指令で送信してくる複数の指令信号の内の一つで、分岐出力端子からの放送信号の出力・停止を設定し、他の同一指令信号に対応した不要な設定動作は実行しない。よって、本発明（請求項３）によれば、分岐装置内の駆動回路が分岐出力端子からの放送信号の出力・停止を設定するために行うラッチングリレーの通電を、必要最小限に抑えることができ、このリレー通電動作によって生じる各分岐装置での電力消費量も、必要最小限に抑えることができる。
【００４０】
従って、本発明（請求項３）によれば、センタ装置側からの指令信号を分岐装置に確実に伝送して、分岐装置の分岐出力端子からの放送信号の出力・停止を確実に設定することができるだけでなく、その設定に要する電力消費量を低減することにより、伝送線に設けられる電源装置の負担を軽減し、延いては、電源装置の容量を小さくして、その小型化を図ることができることになる。
【００４１】
次に、請求項４記載の有線放送システムは、請求項３の有線放送システムにおいて、伝送線に設けられる分岐装置が、分岐回路による分岐後の放送信号を更に複数に分配し、その分配後の放送信号を、夫々、複数の分岐出力端子に出力する分配回路を備えたものである。そして、この分岐装置においては、分配回路から複数の分岐出力端子に至る複数の信号経路に、夫々、ラッチングリレーが設けられ、制御回路が、受信回路が受信した指令信号に応じて各信号経路の導通・遮断状態を制御する際には、駆動回路を制御することにより、各ラッチングリレーを順に通電して、各信号経路の導通・遮断状態を順に設定する。
【００４２】
即ち、本発明（請求項４）の有線放送システムにおいては、センタ装置からの指令信号に従い、分岐装置が複数の分岐出力端子からの放送信号の出力・停止を設定する際、その設定用のラッチングリレーを同時に通電するのではなく、順に通電するようにされている。
【００４３】
このため、本発明（請求項４）によれば、請求項３に記載の有線放送システムと同様の効果を得ることができるだけでなく、分岐装置において複数の分岐出力端子からの放送信号の出力・停止を設定する際に生じる瞬間的な消費電力量（換言すれば分岐装置に流れ込む動作用の電流量）を抑えることができる。
【００４４】
つまり、複数の分岐出力端子からの放送信号の出力・停止を設定するには、各信号経路に設けられた複数のラッチングリレーを同時に通電するようにしてもよいが、こうすると、伝送線から分岐装置に流れ込む給電用の電流量が一時的に極めて大きくなり、電源装置を、この電流量を確保可能な容量の大きなものにする必要がある。
【００４５】
しかし、本発明（請求項４）のように、複数の分岐出力端子からの放送信号の出力・停止を設定する際に、各信号経路に設けられた複数のラッチングリレーを順に通電するようにすれば、伝送線から分岐装置に流れ込む給電用の電流量を、分岐出力端子を１個備えた分岐装置と同じ電流量（詳しくはラッチングリレー１個を駆動するのに要する電流量）に制限することができ、伝送線に設ける電源装置にも、容量の小さいものを使用することが可能になる。
【００４６】
【発明の実施の形態】
以下に本発明の実施例を図面と共に説明する。
図１は、本発明が適用された実施例のＣＡＴＶシステムの概略構成図であり、図２は、このＣＡＴＶシステムの伝送線（具体的には同軸ケーブル）に設けられた分岐装置の内部構成を表す電気回路図である。
【００４７】
図１に示す如く、本実施例のＣＡＴＶシステムは、センタ装置２から端末側へと、伝送線４を介して所定周波数帯（例えば、５０ＭＨｚ〜７７０ＭＨｚ）の放送信号を伝送し、伝送線４上に設けられた多数の分岐装置６を介して当該システムの加入者宅に放送信号を配信するものである。
【００４８】
このため、センタ装置２には、人工衛星や地上局から送信されたテレビ放送信号を受信する受信アンテナ、ビデオテープやビデオディスクに録画されたテレビ信号を再生するビデオ機器、自主放送用のテレビカメラ等を使って、システム内での放送用の多数のテレビ信号を生成し、各テレビ信号を予め設定されたチャンネルに対応した伝送周波数の放送信号に変換して、伝送線４に送出する放送設備１０が備えられている。
【００４９】
また、センタ装置２には、伝送線４に設けられた分岐装置６等の電子機器に対して、その動作状態を制御するための指令信号を伝送するため、必要に応じて、各電子機器に予め割り当てられた識別データ（アドレス）と指令内容を表す指令データ（コマンド）とからなる送信データを生成するヘッドエンドコントローラ１２、ヘッドエンドコントローラ１２からの送信データを、例えばＦＳＫ変調によって、所定周波数帯（例えば、７０ＭＨｚ）の伝送用指令信号に変換する変調器１４、及び、変調器１４から出力された指令信号を、放送設備１０から出力された放送信号と混合して、伝送線４に送出させる混合器１６が備えられている。
【００５０】
尚、ヘッドエンドコントローラ１２は、センタ装置２に設けられたシステム管理用端末装置（コンピュータ）１８、或いは、電話回線等を介して接続される顧客管理用コンピュータ２０からの指令に従い、送信データを生成して、ＣＡＴＶシステム内の各種電子機器に、その動作状態を制御するための指令信号を出力するものであり、通信機能を有するコンピュータにて構成されている。そして、本実施例では、ヘッドエンドコントローラ１２と変調器１４とが、請求項１記載の送信装置として機能し、この内の変調器１４が送信手段として機能する。
【００５１】
一方、伝送線４には、伝送線４上の分岐装置６や図示しない増幅器等に動作用の電力を供給する電源装置２２が接続されている。この電源装置２２は、商用電源から電源供給を受けて動作し、伝送線４に対して、例えば、周波数６０Ｈｚ、電圧４５Ｖ〜９０Ｖ程度の交流電力信号を重畳するものであり、電力供給対象となる電子機器の電力消費量等を考慮して、複数の電子機器に対して１台の割で伝送線４上に分散して設けられる。
【００５２】
次に、分岐装置６は、請求項１，請求項２に記載の電子機器（請求項３，請求項４に記載の分岐装置）に相当するものであり、センタ装置２に直接接続される幹線、幹線に設けられた幹線分岐増幅器や分岐器等を介して幹線から分岐した分岐線、或いは、この分岐線から更に分岐した枝線等、ＣＡＴＶシステムにおける任意の伝送線４に設けられて、その付近の加入者宅に放送信号を配信するための所謂タップオフであり、１又は複数の分岐出力端子を備える（図１では４個の分岐出力端子を備えたものと２個の分岐出力端子を備えたものを表す）。
【００５３】
図２に示す如く、分岐装置６は、伝送線４のセンタ装置２側に接続される入力端子Ｔinと、伝送線４の端末側に接続される出力端子Ｔout と、複数（図では４個）の分岐出力端子Ｔ１，Ｔ２，Ｔ３，Ｔ４とを備える。そして、入力端子Ｔinと出力端子Ｔout との間には、電源装置２２から伝送線４に重畳された低周波の交流電力信号を通過させ、センタ装置２から伝送線４に送出された放送信号及び指令信号（以下、これらを総称して高周波伝送信号ともいう。）の通過を阻止するチョークコイルＬ１が接続され、更に、チョークコイルＬ１の両端（換言すれば入出力端子Ｔin，Ｔout ）には、夫々、低周波の交流電力信号を遮断し、高周波伝送信号を通過させるコンデンサＣ１，Ｃ２の一端が接続されている。また、コンデンサＣ１，Ｃ２の他端は、これらを直接接続するか、或いは分岐回路３０を介して接続するかを切り換える切換スイッチ３２に接続されている。
【００５４】
尚、分岐回路３０は、コンデンサＣ１，Ｃ２の他端を接続することにより、入力端子Ｔinから入力された高周波伝送信号を出力端子Ｔout 側に出力させると共に、その高周波伝送信号の一部を分岐出力端子Ｔ１〜Ｔ４側に分岐させるためのものである。
【００５５】
また、チョークコイルＬ１、コンデンサＣ１，Ｃ２及び切換スイッチ３２は、入力端子Ｔin及び出力端子Ｔout を構成する伝送線（同軸ケーブル）接続用の接栓と共に分岐装置６の筐体に直接組み付けられる第１基板Ｐ１に設けられ、分岐回路３０は、後述の電源回路等と共に、第１基板Ｐ１に対して着脱自在に組み付けられる第２基板Ｐ２に設けられる。このため、例えば、切換スイッチ３２を分岐回路３０とは反対側に切り換え、第２基板Ｐ２を第１基板Ｐ１から電気的に切り離せば、当該分岐装置６は、単に、交流電力信号及び高周波伝送信号を、チョークコイルＬ１及びコンデンサＣ１，Ｃ２を介して通過させるバイパス回路となり、伝送線４を流れる伝送信号に対して何ら影響を与えることはない。
【００５６】
次に、分岐回路３０にて分岐された高周波伝送信号は、分配回路（図２のものでは４分配回路）３４に入力され、分配回路３４にて、分岐出力端子Ｔ１〜Ｔ４の数に対応した分配数で分配される。そして、その分配後の高周波伝送信号は、夫々、高周波伝送信号のみを通過させ、低周波の交流電力信号の通過を阻止するコンデンサＣ３，Ｃ４，Ｃ５，Ｃ６を介して、各分岐出力端子Ｔ１〜Ｔ４に伝達され、各分岐出力端子Ｔ１〜Ｔ４から、これに接続された加入者側端末装置に出力される。
【００５７】
また、分配回路３４から各分岐出力端子Ｔ１〜Ｔ４に至る信号経路には、夫々、その信号経路を導通・遮断するためのラッチングリレー（以下、単にリレーという）４１，４２，４３，４４が設けられ、更に、分岐回路３０から分配回路３４に至る高周波伝送信号の信号経路には、この経路を通過する高周波伝送信号の一部を分岐させる第２の分岐回路３６が設けられている。そして、この分岐回路３６にて分岐された高周波伝送信号は、受信回路５２に入力される。
【００５８】
受信回路５２は、分岐回路３６から入力される高周波伝送信号の中から指令信号を選択的に受信し、ヘッドエンドコントローラ１２が出力した送信データを復元するものであり、その復元されたデータ（受信データ）は、制御回路５４に入力される。
【００５９】
制御回路５４は、ＣＰＵ，ＲＯＭ，ＲＡＭ等からなる１チップマイクロコンピュータを中心に構成されている。そして、制御回路５４は、受信回路５２から受信データが入力されると、その受信データが自己に対する動作モード設定指令であり、この指令に従い動作モードの設定動作に入る必要があるか否かを判断し、動作モードの設定が必要であれば、駆動回路５６を介して、リレー４１〜４４を駆動することにより、分岐装置６の動作モード（詳しくは、各分岐出力端子Ｔ１〜Ｔ４から高周波伝送信号を出力させるか否か）を設定する。
【００６０】
また、分岐装置６には、出力端子Ｔout にチョークコイルＬ２を介して接続された電源回路５８が内蔵されている。チョークコイルＬ２は、伝送線４を流れる交流電力信号の一部を電源回路５８側に取り込み、高周波伝送信号が電源回路５８側に流れるのを阻止するためのものであり、電源回路５８は、このチョークコイルＬ２を介して入力された交流電力信号から、リレー４１〜４４のＯＮ・ＯＦＦ状態切換用の電源電圧Ｖ１（例えば直流２４Ｖ）と、受信回路５２及び制御回路５４を定電圧駆動するための電源電圧Ｖ２（例えば直流５Ｖ）とを生成する。
【００６１】
即ち、電源回路５８は、チョークコイルＬ２を介して入力される交流電力信号を整流・平滑化し、その整流・平滑化後の電力信号から、３端子レギュレータ等を用いて、上記２種類の電源電圧Ｖ１，Ｖ２を生成し、駆動回路５６にリレー切換用の電源電圧Ｖ１を供給すると共に、受信回路５２及び制御回路５４に動作用の電源電圧Ｖ２を供給する。
【００６２】
尚、分配回路３４，リレー４１〜４４，コンデンサＣ３〜Ｃ６，及び分岐出力端子Ｔ１〜Ｔ４は、分岐回路３０が設けられる第２基板Ｐ２に対して、ねじ等を介して一体的に組み付けられる第３基板Ｐ３に設けられ、第２の分岐回路３６，受信回路５２，制御回路５４，駆動回路５６，及び電源回路５８は、上述の分岐回路３０と共に第２基板Ｐ２に設けられる。
【００６３】
また、リレー４１〜４４には、伝送線を構成する同軸ケーブルと同じインピーダンス（５０Ω，７５Ω等）の終端抵抗Ｒｏが設けられており、リレー４１〜４４がＯＦＦ状態に切り換えられたときには、分配回路３４の出力をこの終端抵抗Ｒｏで終端して、分配回路３４から入力された高周波伝送信号が分配回路３４側に反射したり、周囲で発生したノイズが侵入するのを防止できるようにされている。
【００６４】
次に、図３は、センタ装置２側のヘッドエンドコントローラ１２が、システム管理用端末装置１８或いは顧客管理用コンピュータ２０からの指令に従い、伝送線上の一つの電子機器（本実施例では分岐装置６）に対して、その動作モード設定用の指令信号（本実施例では分岐装置６の分岐出力端子からの高周波信号の出力・停止を設定するための指令信号）を送信する際に実行する指令信号送信処理を表すフローチャートであり、図４は、分岐装置６が、センタ装置２側からの指令信号に基づき、分岐出力端子からの高周波伝送信号の出力・停止を設定するために実行する指令信号受信処理を表すフローチャートである。
【００６５】
図３に示す指令信号送信処理は、ヘッドエンドコントローラ１２において、システム管理用端末装置１８或いは顧客管理用コンピュータ２０から指令信号の送信指令が入力されることにより実行されるものであり、例えば、異なる分岐装置６に対する送信指令が連続的に入力された場合には、この処理が、各分岐装置毎に並列に実行される。
【００６６】
図３に示す如く、指令信号送信処理では、まずＳ１１０（Ｓはステップを表す）にて、送信指令を入力してきたシステム管理用端末装置１８或いは顧客管理用コンピュータ２０から、指令信号を送信すべき分岐装置６やその分岐装置６の動作モード設定内容を表す出力設定データを読み込み、続くＳ１２０にて、この読み込んだ出力設定データに基づき、指令信号を送信すべき分岐装置６の識別データ（アドレス）と、指令内容を表す指令データ（コマンド）とからなる送信データを生成する。
【００６７】
そして、続くＳ１３０では、この生成された送信データを所定時間間隔ｔで複数回（本実施例では４回）送信するために、その送信データの送信回数を表す番号データ（以下、再送信番号という）ｎに初期値「０」を設定する。
また続くＳ１４０では、Ｓ１２０にて生成された送信データに再送信番号を付与することにより、実際に端末側に送信する送信データを生成し、続くＳ１５０にて、この生成した送信データを、複数回（例えば３回）連続して変調器１４に出力する。
【００６８】
この結果、変調器１４には、アドレス，コマンド，及び再送信番号ｎからなる同一の送信データ（図５（ａ）参照）が３回連続して入力され、変調器１４からは、この送信データを変調した同一の指令信号が３回連続して出力され、この信号が、伝送線４を介して、伝送線４上の各分岐装置６に伝送されることになる。
【００６９】
次に、Ｓ１５０による送信データの出力が完了すると、続くＳ１６０にて、現在の再送信番号ｎに値「１」を加えることで、再送信番号ｎを更新する。そして、Ｓ１７０では、この更新後の再送信番号ｎが値「４」よりも小さいか否かを判断することにより、Ｓ１２０で生成した送信データを、所定時間間隔ｔで４回送信したか否かを判断し、再送信番号ｎが値「４」よりも小さく、送信データを所定時間間隔ｔを空けて４回送信していなければ、Ｓ１８０にて、時間ｔが経過するのを待ち、時間ｔが経過すると、再度Ｓ１４０に移行して、更新後の再送信番号ｎを付与した送信データの送信動作を実行する。
【００７０】
また、Ｓ１７０にて、再送信番号ｎが値「４」以上で、送信データを所定時間間隔ｔを空けて４回送信したと判断されると、Ｓ１２０にて生成した送信データの送信は完了したとして、当該処理を終了する。
このように、センタ装置２側のヘッドエンドコントローラ１２では、伝送線４に設けられた特定の分岐装置６に指令信号を送信する際には、同一内容の指令信号を連続的に３回送信させるＳ１５０の処理を、所定時間間隔ｔを空けて、４回行い、しかも、Ｓ１５０の処理を実行する度に、指令信号に付与する再送信番号ｎを更新する。
【００７１】
従って、センタ装置２から伝送線４には、図５（ｂ）に示す如く、アドレス，コマンド，及び再送信番号ｎが全て同じ指令信号Ｆ１（ｎ＝０）が連続して３回送信され、その後、所定時間間隔ｔが経過すると、再送信番号ｎが更新された同じ指令内容の指令信号Ｆ１（ｎ＝１）が連続して３回送信される、といった手順で、所定時間間隔ｔ毎に、同じ指令内容で３回連続する指令信号Ｆ１が、４回送信されることになる。
【００７２】
ここで、センタ装置２が、連続する３個の指令信号の送信動作を、所定時間間隔ｔを空けて複数回（４回）行うのは、電源の瞬時停電が発生した場合でも、指令信号を対象となる分岐装置６に確実に伝送するためであり、上記時間間隔ｔには、本実施例のＣＡＴＶシステムで生じる瞬時停電の発生時間よりも長い時間（例えば０．２sec.〜０．５sec.程度の時間）が設定されている。
【００７３】
そして、このように、センタ装置２は、外部から入力される送信指令に従い特定の分岐装置６に特定の指令信号を送信する際には、その指令信号を連続３回送信する送信動作を、瞬時停電の発生時間よりも長い所定時間間隔ｔを空けて、４回行うことから、本実施例のＣＡＴＶシステムによれば、伝送線４上の各分岐装置６に対して、システム周囲で発生した単発ノイズや瞬時停電の影響を受けることなく、指令信号を確実に伝送することが可能になる。
【００７４】
尚、ヘッドエンドコントローラ１２は、システム管理用端末装置１８或いは顧客管理用コンピュータ２０から送信指令を受ける度に、その送信指令に対応した分岐装置６に対する指令信号の送信処理を実行することから、特定の分岐装置６に対する指令信号Ｆ１の送信中に、他の分岐装置６に対する指令信号Ｆ２の送信指令が入ると、この指令信号Ｆ２の送信が、指令信号Ｆ１の送信停止期間中に実行され、伝送線４上には、図５（ｃ）に示す如く、３回連続する指令信号Ｆ１と３回連続する指令信号Ｆ２とが交互に送出されることもある。
【００７５】
そして、本実施例では、システム管理用端末装置１８或いは顧客管理用コンピュータ２０からの指令に従い送信データを生成するＳ１１０及びＳ１２０の処理が、本発明の送信データ生成手段として機能し、この生成された送信データに再送信番号を付与し、これを変調器１４に出力するＳ１３０〜Ｓ１８０の処理が、本発明（特に請求項２）の送信データ出力手段として機能する。
【００７６】
次に、図４に示す指令信号受信処理は、伝送線４上の各分岐装置６において、制御回路５４が繰り返し実行する処理である。そして、この処理では、まずＳ２１０にて、受信回路５２がセンタ装置２からの指令信号を受信したか否かを判断することにより、受信回路５２にて指令信号が受信されるのを待ち、指令信号が受信されると、Ｓ２２０にて、受信回路５２からその指令信号を復調した受信データを読み込む。
【００７７】
そして、続くＳ２３０では、その読み込んだ受信データが、前回読み込んだ受信データと全く同じか否かを判断し、受信データが同じであれば、その受信データは、センタ装置２が連続的に送信した受信データの一つであり、その受信データは既に受信したものであるので、以降の処理を実行することなく再度Ｓ２１０に移行し、逆に、受信データが前回読み込んだ受信データと同じでなければ、続くＳ２４０に移行する。尚、Ｓ２３０の処理は、本発明（特に請求項２）の指令信号選択手段として機能する。
【００７８】
次に、Ｓ２４０では、Ｓ２２０で読み込んだ受信データを構成するアドレスは、自己のアドレスと一致しているか否か、換言すれば、受信データはセンタ装置２が自己に対して送信してきた指令信号であるか否か、を判断する。そして、Ｓ２４０にて、受信データのアドレスは自己アドレスでないと判断されると、受信データに基づく動作モードの設定を実行する必要がないので、再度Ｓ２１０に移行し、逆に、Ｓ２４０にて、受信データのアドレスは自己アドレスと一致すると判断されると、この受信データに基づき動作モードを設定するために、続くＳ２５０に移行する。尚、Ｓ２４０の処理は、本発明の指令信号識別手段として機能する。
【００７９】
次に、Ｓ２５０では、Ｓ２２０で読み込んだ受信データを構成するコマンド（以下受信コマンドという）をＲＡＭに記憶し、続くＳ２６０では、その受信コマンドと、前回Ｓ２５０でＲＡＭに記憶した前回の受信コマンドとが、同じ指令内容であるか否かを判断する、指令内容判定手段としての処理を実行する。
【００８０】
そして、今回の受信コマンドと前回の受信コマンドとが一致していなければ、Ｓ２９０に移行して、今回の受信コマンドに付与されている再送信番号を受信コマンドに関連付けてＲＡＭに記憶し、続くＳ３００にて、今回の受信コマンドに従い、駆動回路５６を介して、各リレー４１〜４４を１個ずつ順に通電することにより、複数の分岐出力端子Ｔ１〜Ｔ４からの高周波伝送信号の出力・停止状態を順に設定した後、再度Ｓ２１０に移行する。尚、Ｓ３００の処理は、動作モード設定手段として機能する。
【００８１】
一方、Ｓ２６０にて、今回の受信コマンドと前回の受信コマンドとが一致していると判断されると、Ｓ２７０に移行し、以前Ｓ３００の処理を行った際にＲＡＭに記憶した今回の受信コマンドに対応した再送信番号（以下記憶番号という）を読み出す。また、続くＳ２８０では、この読み出した記憶番号と今回の受信コマンドに付与されている再送信番号とを大小比較する、送信回数判定手段としての処理を実行する。そして、再送信番号が記憶番号以下であれば、今回の受信コマンドに従い動作モードを設定すべく、Ｓ２９０，Ｓ３００の処理を実行して、再度Ｓ２１０に移行し、逆に、再送信番号が記憶番号よりも大きい場合には、今回の受信コマンドに対応した動作モードの設定は完了しているものとして、Ｓ２９０，Ｓ３００の処理を行うことなく、そのままＳ２１０に移行する。
【００８２】
以上のように、伝送線４に設けられた各分岐装置６では、センタ装置２から１回の送信当たりに３回連続的に送信されてくる指令信号の中から、最初に受信できた指令信号を選択し（Ｓ２３０−ＹＥＳ）、その指令信号は自己に対する指令信号であるか否かを、指令信号に付与されたアドレスから判定し、指令信号が自己に対する指令信号であれば（Ｓ２４０−ＹＥＳ）、その指令信号が前回自己に対する指令信号として受信した指令内容（受信コマンド）と一致するか否かを判断して、一致しなければ（Ｓ２６０−ＮＯ）、今回受信した指令信号のコマンド（受信コマンド）に従い動作モードを設定する（Ｓ３００）。
【００８３】
また、受信した指令信号の指令内容（受信コマンド）が前回受信した受信コマンドと同じである場合には、今回の受信コマンドと前回の受信コマンドとが、センタ装置２が外部から一つの送信指令を受けて送信してきた同一のコマンドであるか、或いは、センタ装置２が異なる送信指令を受けて送信してきた異なるコマンドであるかを判断するために、今回の受信コマンドに付与された再送信番号と、前回の受信コマンドに付与された再送信番号（記憶番号）とを大小比較する（Ｓ２８０）。そして、再送信番号が記憶番号以下であるときに、今回の受信コマンドと前回の受信コマンドとは、センタ装置２が異なる送信指令に従い送信してきた異なるコマンドであると判断して（Ｓ２８０−ＹＥＳ）、今回の受信コマンドに従い動作モードを設定する（Ｓ３００）。
【００８４】
従って、本実施例のＣＡＴＶシステムにおいては、例えば、図５（ｄ）に示すように、センタ装置２から特定の分岐装置６に対して送信された指令信号Ｆ１の内、１回目の送信で連続的に送信された３つの指令信号Ｆ１（ｎ＝０）が、電源の瞬時停電によって打ち消され、次回の送信で連続的に送信された３つの指令信号Ｆ１（ｎ＝１）の内の一つが届いたとすれば、分岐装置６は、その最初に届いた指令信号Ｆ１（ｎ＝１）によって、分岐装置６の動作モード（分岐出力端子からの高周波伝送信号の出力・停止状態）を設定することになる。
【００８５】
そして、分岐装置６が、指令信号Ｆ１（ｎ＝１）に従い動作モードを設定した後、この動作モードを設定したときと全く同じ指令信号Ｆ１（ｎ＝１）を受信した場合、或いは、この指令信号Ｆ１（ｎ＝１）と同じ指令内容で、再送信番号ｎが前回受信したものよりも大きい指令信号Ｆ１（ｎ＝２又はｎ＝３）を受信した場合には、既に同一の指令信号Ｆ１（ｎ＝１）に基づく動作モードの設定を完了しているとして、受信した新たな指令信号（受信コマンド）に基づく動作モードの設定は実行しない。
【００８６】
このため、本実施例のＣＡＴＶシステムによれば、センタ装置２側で実行される指令信号送信処理によって、伝送線６上の各分岐装置６に対して指令信号を確実に伝送することができるだけでなく、その指令信号に対応した分岐装置６側では、最初に受信できた指令信号だけで自己の動作モードを設定することができ、動作モード設定後に、センタ装置２側から同一の送信指令に従って同一内容の指令信号が再送信されてきても、その指令信号によって、動作モードを再度設定してしまうのを防止できる。
【００８７】
またこのように、分岐装置６での動作モードの設定動作を、必要最小限に抑えることができることから、分岐装置６が動作モードの設定のために消費する消費電力量（具体的には、分岐出力端子からの高周波伝送信号の出力・停止を設定するためにリレーを通電することにより消費される電力量）も、必要最小限に抑えることができる。よって、本実施例のＣＡＴＶシステムによれば、伝送線４に設けられる電源装置２２の負担を軽減し、その容量を小さくすることができる。
【００８８】
また、特に、本実施例では、分岐装置６が複数の分岐出力端子Ｔ１〜Ｔ４からの高周波伝送信号の出力・停止状態を設定する際に、その設定用のリレー４１〜４４を順に通電し、複数のリレー４１〜４４を同時に通電することはしないので、動作モードの設定時に伝送線４から一つの分岐装置６に流れ込む給電用の電流量をリレー１個分の電流量に制限することができ、これによっても、電源装置２２の負担を軽減することができる。
【００８９】
以上、本発明の一実施例について説明したが、本発明は、上記実施例に限定されるものではなく、種々の態様を採ることができる。
例えば、上記実施例では、センタ装置２から伝送線４に送出した指令信号によって、伝送線４に設けられた複数の分岐装置６の動作モード（分岐出力端子から放送信号を出力させるか否か）を各々設定するようにしたＣＡＴＶシステムを例にとり説明したが、本発明は、センタ装置２からの指令信号によって伝送線４に設けられた電子機器の動作モードを設定する有線放送システムであれば、センタ装置２による動作モードの設定対象となる電子機器が、分岐装置以外のもの、例えば増幅装置や分岐増幅装置等であっても、上記実施例と同様に適用することができる。
【００９０】
また、例えば、上記実施例では、伝送線４に設けられる分岐装置６は、分配回路３４を内蔵しており、この分配回路３４にて分配した放送信号を含む高周波伝送信号を、複数の分岐出力端子から対応する端末装置に出力するものとして説明したが、分配回路３４を内蔵せず、分岐回路３０にて分岐させた高周波伝送信号をそのまま一つの分岐出力端子から出力するようにした分岐装置であっても、上記実施例の分岐装置６と同様、本発明を適用して、上記実施例と同様の効果を得ることができる。
【００９１】
また、上記実施例では、センタ装置２から特定の分岐装置６に対して、同一の指令信号を、所定時間間隔ｔを空けて複数回送信する際、１回の送信毎に、同一の再送信番号を付与した送信データからなる指令信号を３回連続して送信するものとして説明したが、これは、指令信号を連続させることにより、システム周囲で単発的なノイズが発生した際には、連続する複数の指令信号の内の少なくとも一つが、対象となる分岐装置６に届くようにするためであり、所定時間間隔ｔを空けて行う１回当たりの送信時には、再送信番号を付与した送信データからなる１つの指令信号を送信するようにしてもよい。
【００９２】
また、上記実施例では、所定時間間隔ｔを空けて指令信号を送信する回数は、４回として説明したが、この送信回数は、複数回であれば、２回でも３回でもよい。但し、指令信号が対象となる分岐装置６に届く確率を高めるためには、この送信回数を増やすことが望ましい。
【図面の簡単な説明】
【図１】  実施例のＣＡＴＶシステムの構成を表す概略構成図である。
【図２】  分岐装置の構成を表す電気回路図である。
【図３】  センタ装置側ヘッドエンドコントローラにて実行される指令信号送信処理を表すフローチャートである。
【図４】  分岐装置側制御回路にて実行される指令信号受信処理を表すフローチャートである。
【図５】  センタ装置から伝送線に送出される指令信号のデータ構造及び指令信号の送信動作を説明する説明図である。
【符号の説明】
２…センタ装置、４…伝送線、６…分岐装置、１０…放送設備、１２…ヘッドエンドコントローラ、１４…変調器、１６…混合器、１８…システム管理用端末装置、２０…顧客管理用コンピュータ、２２…電源装置、３０…分岐回路、３２…切換スイッチ、３４…分配回路、３６…分岐回路、４１〜４４…リレー（ラッチングリレー）、５２…受信回路、５４…制御回路、５６…駆動回路、５８…電源回路。
【図１】
0004170489.tif 000002
【図２】
0004170489.tif 000003
【図３】
0004170489.tif 000004
【図４】
0004170489.tif 000005
【図５】
0004170489.tif 000006